(57)【要約】【課題】適切なビームを効率よく選択してダイナミックに切り替えること。【解決手段】基地局のビーム測定信号生成部が、候補ビームのビーム測定信号を生成してビームフォーミング部を介して送信する。そして、ビームマネジメント部１０の受信部１３が、複数の候補ビームが複数に分割されたブロック毎に所定の条件を満たすビームのＲＳＲＰとビームＩＤをＵＥからビームフォーミング部を介して受信する。受信部は、受信したＲＳＲＰとビームＩＤを記憶部１４に格納する。【選択図】図４
2020053897.tif 000002
【特許請求の範囲】
【請求項１】
複数のビームの受信電力を測定するためのビーム測定信号を端末に送信する送信部と、
前記複数のビームが複数に分割された測定ブロック毎に、前記端末で測定された受信電力が所定の条件を満たすビームの識別情報および受信電力情報を受信する受信部とを有することを特徴とする基地局。
【請求項２】
前記受信部は、前記測定ブロック毎に受信電力が大きい方から所定の個数のビームの識別情報および受信電力情報を受信することを特徴とする請求項１に記載の基地局。
【請求項３】
前記受信部により受信された複数の受信電力情報に基づいて前記複数のビームの中から制御信号を送信する候補ビームを選択する選択部をさらに有することを特徴とする請求項１又は２に記載の基地局。
【請求項４】
前記選択部は、前記受信部により受信電力が受信された複数のビームの集合を候補集合とし、該候補集合の中から受信電力が最大のビームを選択する選択処理を行い、選択したビームの隣接ビームと選択したビームとを前記候補集合から取り除く更新処理を行い、前記選択処理と前記更新処理を前記候補集合に含まれるビームの最大受信電力が最初の候補集合に含まれるビームの最大受信電力より第１閾値を超えて小さくなるまで繰り返すことを特徴とする請求項３に記載の基地局。
【請求項５】
前記選択部により選択された複数の制御信号を送信する候補ビームの直近の受信電力に基づいて、制御信号を送信するビームを決定する決定部をさらに有することを特徴とする請求項３又は４に記載の基地局。
【請求項６】
前記送信部は、前記複数のビームのビーム測定信号を複数回送信し、
前記受信部は、前記複数回の送信のそれぞれに対応付けて前記測定ブロック毎に前記所定の条件を満たすビームの受信電力を受信し、
各制御信号を送信する候補ビームについて前記受信部が複数回受信した受信電力を平均して平均受信電力を算出し、前記制御信号を送信する候補ビームの平均受信電力に第２閾値を加えた値より平均受信電力が大きい他のビームが前記制御信号を送信する候補ビームの隣接ビームの中にある場合に、前記制御信号を送信する候補ビームを前記他のビームで更新する更新部をさらに有することを特徴とする請求項３、４又は５に記載の基地局。
【請求項７】
複数のビームの受信電力を測定するためのビーム測定信号を受信する受信部と、
前記受信部によりビーム測定信号が受信された複数のビームの受信電力を測定する測定部と、
前記測定部により測定された受信電力に基づいて、前記複数のビームが複数に分割された測定ブロック毎に所定の条件を満たすビームの識別情報および受信電力情報を送信する送信部と、
を有することを特徴とする端末。
【請求項８】
基地局と端末との間で無線通信を行う無線通信システムにおいて、
前記基地局は、
複数のビームの受信電力を測定するためのビーム測定信号を前記端末に送信する第１送信部
を有し、
前記端末は、
前記第１送信部により送信されたビーム測定信号を受信する第１受信部と、
前記第１受信部によりビーム測定信号が受信された複数のビームの受信電力を測定する測定部と、
前記測定部により測定された受信電力に基づいて、前記複数のビームが複数に分割された測定ブロック毎に所定の条件を満たすビームの識別情報および受信電力情報を送信する第２送信部と、
を有し、
前記基地局は、
前記第２送信部により送信された識別情報および受信電力情報を受信する第２受信部
をさらに有することを特徴とする無線通信システム。
【発明の詳細な説明】
【技術分野】
【０００１】
本発明は、基地局、端末及び無線通信システムに関する。
【背景技術】
【０００２】
スマートフォンの急速な普及に伴いモバイルデータトラフィックは急増し、２０２０年には２０１５年比で８倍に増えると予測されている。将来のトラフィック爆発に備え、第５世代（５Ｇ）移動体通信システムの研究開発が活発に行われている。５Ｇでは４Ｇよりも広い帯域幅を確保するために、４Ｇよりも高い周波数帯の利用も想定されている。高い周波数帯における大きな伝搬損失を補償するため、多数のアンテナ素子を備えるアレーアンテナを用いたビームフォーミング技術の適用が検討されている。
【０００３】
移動通信システムでは、ユーザ端末（ＵＥ：User  Equipment）が移動する場合に、ビームの方向を動的に切り替えて、受信電力を維持する必要がある。
【先行技術文献】
【特許文献】
【０００４】
【特許文献１】特開２０１５−１６４２８１号公報
【特許文献２】特開平１１−２５２６１４号公報
【非特許文献】
【０００５】
【非特許文献１】岩渕匡史，ベンジャブール  アナス，岸山祥久，Tingjian  Tian，Guangjian  Wang，Liang  Gu，高田輝文，崔  洋，“３９ＧＨｚ帯を用いた長距離大容量伝送に関する５Ｇ屋外伝送実験,”  信学技報，ＲＣＳ２０１７−３８７，ｐｐ．３７５−３８０，Ｆｅｂ．２０１８．
【発明の概要】
【発明が解決しようとする課題】
【０００６】
５Ｇで用いられる高い周波数帯には、電波の直進性が高いという特徴がある。そのため、ビルや交通標識、樹木、人体等によって電波の経路を遮蔽されると、受信電力が大きく低下する。したがって、ＵＥが移動して電波の経路が遮蔽されると、制御チャネルの受信品質が悪化し、スループットが劣化する。また、受信電力が接続維持に必要な電力以下となった場合、ランダムアクセス手順による再接続が行われる。このため、端末の移動に対応しつつ接続を維持するためには、制御チャネルに用いるビームを効率よく適切に選択してダイナミックに切り替えることが求められている。
【０００７】
本発明は、１つの側面では、適切なビームを効率よく選択してダイナミックに切り替えることを目的とする。
【課題を解決するための手段】
【０００８】
１つの態様では、基地局は、複数のビームの受信電力を測定するためのビーム測定信号を端末に送信する送信部を有する。また、前記基地局は、前記複数のビームが複数に分割された測定ブロック毎に、前記端末で測定された受信電力が所定の条件を満たすビームの識別情報および受信電力情報を受信する受信部を有する。
【発明の効果】
【０００９】
１つの側面では、本発明は、適切なビームを効率よく選択してダイナミックに切り替えることができる。
【図面の簡単な説明】
【００１０】
【図１】図１は、実施例に係る基地局の構成を示す図である。
【図２】図２は、ＵＥとの初回接続時のシーケンスを示す図である。
【図３】図３は、ブロック分割の例を示す図である。
【図４】図４は、ビームマネジメント部の機能構成を示す図である。
【図５】図５は、選択部による処理のフローを示すフローチャートである。
【図６】図６は、隣接ビームの例を示す図である。
【図７】図７は、制御信号送信のシーケンスを示す図である。
【図８】図８は、制御信号送信候補ビームを更新するシーケンスを示す図である。
【図９】図９は、制御信号送信候補ビームを更新する処理のフローを示すフローチャートである。
【図１０】図１０は、ＵＥの構成を示す図である。
【図１１】図１１は、基地局のハードウェア構成を示す図である。
【図１２】図１２は、無線部を別装置とする場合の基地局の構成を示す図である。
【図１３】図１３は、ＵＥのハードウェア構成を示す図である。
【発明を実施するための形態】
【００１１】
以下に、本願の開示する基地局、端末及び無線通信システムの実施例を図面に基づいて詳細に説明する。なお、この実施例は開示の技術を限定するものではない。
【実施例】
【００１２】
まず、実施例に係る基地局の構成について説明する。図１は、実施例に係る基地局の構成を示す図である。図１に示すように、実施例に係る基地局１は、ＤＬデータ生成部２と、ＤＬ制御信号生成部３と、ビーム測定信号生成部４と、ＵＬデータ受信部５と、ＵＬ制御信号受信部６と、ビームフォーミング部７と、ビームマネジメント部１０とを有する。
【００１３】
ＤＬデータ生成部２は、ダウンリンク（ＤＬ：Down  Link）のユーザデータを生成し、ビームフォーミング部７を介して送信する。ＤＬ制御信号生成部３は、ダウンリンクもしくはアップリンク（ＵＬ：Up  Link）のデータ割当通知等の制御信号を生成し、ビームフォーミング部７を介して送信する。ビーム測定信号生成部４は、ＵＥがビーム毎の品質を測定するためのビーム測定信号を生成し、ビームフォーミング部７を介して送信する。
【００１４】
ＵＬデータ受信部５は、ＵＥから送信されたユーザデータをビームフォーミング部７を介して受信する。ビーム測定信号に応答してＵＥからフィードバックされたビームＩＤと受信電力（ＲＳＲＰ：Reference  Signal  Received  Power）がユーザデータに載せられている場合には、ＵＬデータ受信部５は、ビームＩＤとＲＳＲＰをビームマネジメント部１０に出力する。ここで、ビームＩＤはビームを識別する識別子である。なお、ＵＥは、ビームＩＤと受信電力をユーザデータ又は制御信号に載せて送信する。
【００１５】
ＵＬ制御信号受信部６は、ＵＥから送信された制御信号を受信する。ビーム測定信号に応答してＵＥからフィードバックされたビームＩＤと受信電力が制御信号に載せられている場合には、ＵＬ制御信号受信部６は、ビームＩＤとＲＳＲＰをビームマネジメント部１０に出力する。
【００１６】
ビームフォーミング部７は、送信信号及び受信信号の位相あるいは位相及び振幅を制御し、所望の方向へビームを向けて、ユーザデータ及び制御信号を送受信する。
【００１７】
ビームマネジメント部１０は、ダウンリンクのユーザデータ及び制御信号の送信に用いる候補ビームの選択及び更新を行い、複数の送信候補ビームから実際に送信に用いるビームを決定し、ビームフォーミング部７に通知する（以降、制御信号の送信に用いる候補ビームを、制御信号送信候補ビームともいう）。図２は、ＵＥとの初回接続時のシーケンスを示す図である。図２に示すように、基地局１は、ＵＥへ複数の候補ビームのビーム測定信号を送信する（ｔ１）。そして、ＵＥは、基地局１と、ランダムアクセスによる初期接続を実行する（ｔ２）。
【００１８】
そして、ビームマネジメント部１０は、ＵＥにＲＳＲＰ測定のための設定（以降、ＲＳＲＰ測定設定ともいう）を実行する（ｔ３）。ＲＳＲＰ測定設定では、ビームマネジメント部１０は、ビーム測定信号の送信を行う全ビームをＮblock個のブロックに分け、それぞれのブロック毎にＲＳＲＰが高い順に上位Ｍ個のビームのＲＳＲＰとビームＩＤがＵＥからフィードバックされるようにする。
【００１９】
図３は、ブロック分割の例を示す図である。図３は、水平方向に１５方向、垂直方向に４方向で計６０方向のビームを表す。四角形内部の数字はビームＩＤを表す。ビームマネジメント部１０は、図３の網掛けで分けたようにブロック分割する。同じ網掛けが付されたビームは同じブロックに属する。図３では、Ｎblock＝５である。
【００２０】
図２に戻って、ＵＥは、ビーム測定を行い（ｔ４）、ＲＳＲＰ測定設定に基づいて、初回のＲＳＲＰ、ビームＩＤをフィードバックする（ｔ５）。ビームマネジメント部１０は、ＵＥから最初にＲＳＲＰを受信した際に、受信したＲＳＲＰを基に制御信号送信候補ビームを選択する（ｔ６）。なお、その後も、ビーム測定信号の送信（ｔ７）、ビーム測定（ｔ８）、ＲＳＲＰ、ビームＩＤのフィードバック（ｔ９）は繰り返される。
【００２１】
図４は、ビームマネジメント部１０の機能構成を示す図である。図４に示すように、ビームマネジメント部１０は、分割部１１と、設定部１２と、受信部１３と、記憶部１４と、選択部１５と、決定部１６と、更新部１７とを有する。
【００２２】
分割部１１は、複数の候補ビームを複数のブロックに分割する。分割部１１は、例えば、図３に示したように、６０の候補ビームを５つのブロックに分割する。
【００２３】
設定部１２は、それぞれのブロック毎にＲＳＲＰが高い順に上位Ｍ個のビームのＲＳＲＰとビームＩＤがＵＥからフィードバックされるように設定する。
【００２４】
受信部１３は、ＵＥからフィードバックされたＭ個のビームのＲＳＲＰとビームＩＤをＵＬデータ受信部５又はＵＬ制御信号受信部６から受け取り、Ｍ個のビームのＲＳＲＰをビームＩＤに対応付けて記憶部１４に格納する。
【００２５】
記憶部１４は、直近のＭ個のビームのＲＳＲＰと後述する平均処理が行われた平均ＲＳＲＰをビームＩＤに対応付けて記憶する。また、記憶部１４は、複数の候補ビームの中から制御信号送信に用いられる１つ以上ＮPDCCH以下の個数ｉmaxの制御信号送信候補ビームのビームＩＤを記憶する。ここで、ＰＤＣＣＨ（Physical  Downlink  Control  Channel）はダウンリンクの制御信号送信用のチャネルであり、ＮPDCCHは、ＰＤＣＣＨの数である。
【００２６】
選択部１５は、記憶部１４が最初に記憶したＲＳＲＰを基に、複数の候補ビームの中から１つ以上ＮPDCCH以下の個数ｉmaxの制御信号送信候補ビームの選択を行い、記憶部１４に格納する。なお、制御信号送信候補ビームの選択の処理については後述する。
【００２７】
決定部１６は、ｉmax個の制御信号送信候補ビームのうち、直近のＲＳＲＰが最大のビームを制御信号の送信に用いるビームとして決定する。なお、基地局１が同一時間、同一周波数において、複数のビームを送信可能な構成の場合、決定部１６は、ｉmax個の制御信号送信候補ビームのうち、直近のＲＳＲＰが上位の複数のビームを制御信号の送信に用いるビームとして決定してもよい。
【００２８】
更新部１７は、記憶部１４に直近のＲＳＲＰが格納されると、ビーム毎に直近のＲＳＲＰと平均ＲＳＲＰを用いて平均ＲＳＲＰを更新し、更新した平均ＲＳＲＰに基づいて、制御信号送信候補ビームの更新を行う。更新部１７は、記憶部１４が制御信号送信候補ビームについて記憶するビームＩＤを更新する。更新部１７は、平均処理として忘却平均や移動平均を用いてもよい。
【００２９】
あるビームについて、平均ＲＳＲＰを更新するタイミングにおいて、ブロック内でＲＳＲＰが上位Ｍ個に入らなく、フィードバックされなかった場合は、更新部１７は、フィードバックされたブロック内の最小のＲＳＲＰをオフセットした値を用いて平均処理を行う。また、それまでＲＳＲＰがフィードバックされていなかったビームについてフィードバックされた場合、更新部１７は、前回値としてあらかじめ設定したパラメータを用いて平均処理を行う。なお、制御信号送信候補ビームの更新の処理については後述する。
【００３０】
次に、ビームマネジメント部１０による処理のフローについて説明する。図５は、選択部１５による処理のフローを示すフローチャートである。図５に示すように、選択部１５は、ＵＥからフィードバックされたビームＩＤの集合を候補集合Ｃとする（ステップＳ１）。選択部１５は、候補集合ＣにビームＩＤが含まれるビームでＲＳＲＰが最大のビームを制御信号送信候補ビームｃ1とする（ステップＳ２）。また、このときのＲＳＲＰの最大値をＲmaxと表す。
【００３１】
選択部１５は、ｃ1とｃ1の隣接ビームのビームＩＤを候補集合Ｃから除外し（ステップＳ３）、ｉmaxを１とし、ｉを２とする（ステップＳ４）。図６は、隣接ビームの例を示す図である。図６（ａ）に示すように、隣接ビームは、例えば、水平方向もしくは垂直方向で隣接した４ビーム（ビームＩＤが１７、３１、３３及び４７）である。あるいは、図６（ｂ）に示すように、隣接ビームは、斜め方向も含めた８ビーム（ビームＩＤが１６、１７、１８、３１、３３、４６、４７及び４８）である。
【００３２】
選択部１５は、候補集合ＣにビームＩＤが含まれるビームの最大ＲＳＲＰが、ＲmaxからＴｈを引いた値以上であるか否かを判定する（ステップＳ５）。ここで、Ｔｈは、所定の閾値である。候補集合ＣにビームＩＤが含まれるビームの最大ＲＳＲＰが、ＲmaxからＴｈを引いた値以上でない場合には、選択部１５は処理を終了する。
【００３３】
一方、候補集合ＣにビームＩＤが含まれるビームの最大ＲＳＲＰが、ＲmaxからＴｈを引いた値以上である場合には、選択部１５は、候補集合ＣにビームＩＤが含まれるビームでＲＳＲＰが最大のビームを制御信号送信候補ビームｃiとする（ステップＳ６）。選択部１５は、ｃiとｃiの隣接ビームのビームＩＤを候補集合Ｃから除外し（ステップＳ７）、ｉmaxをｉで更新し、ｉに１を加える（ステップＳ８）。
【００３４】
選択部１５は、ｉがＮPDCCH以下であるか否かを判定し（ステップＳ９）、ｉがＮPDCCH以下である場合には、ステップＳ５に戻り、ｉがＮPDCCH以下でない場合には処理を終了する。
【００３５】
このように、選択部１５は、ＲmaxとＴｈを用いてｉmax（ｉmax＝１，２，・・・，ＮPDCCH）個の制御信号送信候補ビームを選択することができる。
【００３６】
図７は、制御信号送信のシーケンスを示す図である。図７に示すように、決定部１６は、ｉmax個の制御信号送信候補ビームのうち、直近のＲＳＲＰに基づいて、制御信号送信に用いるビームを決定する（ｔ１１）。基地局１は、ＵＥへ制御信号を送信する（ｔ１２）。
【００３７】
図８は、制御信号送信候補ビームを更新するシーケンスを示す図である。図８に示すように、基地局１は、ＵＥへビーム測定信号を送信する（ｔ２１）。ＵＥは、ビーム測定を行い（ｔ２２）、ＲＳＲＰ、ビームＩＤをフィードバックする（ｔ２３）。
【００３８】
更新部１７は、ＲＳＲＰ受信毎にビーム毎にＲＳＲＰの平均処理を行う（ｔ２４）。更新部１７は、制御信号送信候補ビームを更新する（ｔ２５）。
【００３９】
図９は、制御信号送信候補ビームを更新する処理のフローを示すフローチャートである。図９に示すように、更新部１７は、初期化処理としてｉに１を設定する（ステップＳ１１）。更新部１７は、以下の式（１）を判定する（ステップＳ１２）。
【数１】
2020053897.tif 000003
【００４０】
式（１）で、Ｒave(ｘ)はビームｘの平均化（平均処理により計算された）ＲＳＲＰであり、Ｔｈupdateは更新で用いられる閾値であり、Ｎｅｉ(ｃi)はｃiの隣接ビームの集合である。すなわち、更新部１７は、ｃiの隣接ビームの中で最大の平均化ＲＳＲＰがｃiの平均化ＲＳＲＰよりもＴｈupdateを超えて大きいか否かを判定する。
【００４１】
ｃiの隣接ビームの中で最大の平均化ＲＳＲＰがｃiの平均化ＲＳＲＰよりもＴｈupdateを超えて大きい、でない場合には、更新部１７は、ステップＳ１４へ進む。一方、ｃiの隣接ビームの中で最大の平均化ＲＳＲＰがｃiの平均化ＲＳＲＰよりもＴｈupdateを超えて大きい場合には、更新部１７は、ｃiの隣接ビームの中で平均化ＲＳＲＰが最大のビームでｃiを更新する（ステップＳ１３）。
【００４２】
更新部１７は、ｉに１を加え（ステップＳ１４）、ｉがｉmax以下であるか否かを判定する（ステップＳ１５）。更新部１７は、ｉがｉmax以下である場合には、ステップＳ１２に戻り、ｉがｉmax以下でない場合には、処理を終了する。
【００４３】
このように、更新部１７がｃiを更新するので、基地局１は、ＵＥの移動に対して制御信号用のビームを追従させることができる。なお、選択部１５は、図５に示した処理を定期的に行うことによって、制御信号送信候補ビームｃi及びｉmaxを更新してもよい。
【００４４】
次に、ＵＥの構成について説明する。図１０は、ＵＥの構成を示す図である。図１０に示すように、ＵＥ２０は、ＤＬデータ受信部２１と、ＤＬ制御信号受信部２２と、ビーム測定信号受信部２３と、ビーム測定部２４と、ＵＬデータ生成部２５と、ＵＬ制御信号生成部２６と、ビームフォーミング部２７とを有する。ＵＥ２０は、無線通信システムにおいて基地局１と無線通信を行う。
【００４５】
ＤＬデータ受信部２１は、ダウンリンクのユーザデータをビームフォーミング部２７を介して受信する。ＤＬ制御信号受信部２２は、ダウンリンクの制御信号をビームフォーミング部２７を介して受信する。ビーム測定信号受信部２３は、ビーム毎に送信されたビーム測定信号をビームフォーミング部２７を介して受信する。
【００４６】
ビーム測定部２４は、ビーム測定信号受信部２３が受信したビーム毎のビーム測定信号のＲＳＲＰを測定する。ビーム測定部２４は、ブロック毎に受信電力が高い順に上位Ｍ個のビームのＲＳＲＰとビームＩＤをＵＬデータ生成部２５又はＵＬ制御信号生成部２６に出力する。
【００４７】
ＵＬデータ生成部２５は、アップリンクのユーザデータを生成し、ビームフォーミング部２７を介して基地局１へ送信する。ＵＬデータ生成部２５は、ビーム測定部２４からＭ個のビームのＲＳＲＰとビームＩＤを受け取ると、ユーザデータに載せて基地局１へ送信する。
【００４８】
ＵＬ制御信号生成部２６は、アップリンクの制御信号を生成し、ビームフォーミング部２７を介して基地局１へ送信する。ＵＬ制御信号生成部２６は、ビーム測定部２４からＭ個のビームのＲＳＲＰとビームＩＤを受け取ると、制御信号に載せて基地局１へ送信する。
【００４９】
ビームフォーミング部２７は、送信信号及び受信信号の位相もしくは位相及び振幅を制御し、所望の方向へビームを向けて、ユーザデータ及び制御信号を送受信する。
【００５０】
次に、基地局１及びＵＥ２０のハードウェア構成について説明する。図１１は、基地局１のハードウェア構成を示す図である。図１１に示すように、基地局１は、記憶装置３１と、プロセッサ３２と、ＮＩＦ回路３３と、無線処理回路３４とを有する。
【００５１】
記憶装置３１は、データやプログラムを記憶する装置である。記憶装置３１には、主記憶装置と補助記憶装置が含まれる。主記憶装置は、例えばＲＡＭ（Random  Access  Memory）であり、プロセッサ３２で実行されるプログラム、プログラムの実行に必要なデータ、プログラム実行の途中結果等を記憶する。補助記憶装置は、例えばＨＤＤ（Hard  Disk  Drive）装置であり、プログラムやデータを記憶する。補助記憶装置に記憶されたプログラムは、主記憶装置にロードされてプロセッサ３２によって実行される。
【００５２】
プロセッサ３２は、主記憶装置に記憶されたプログラムを読み出して実行する処理装置である。ＮＩＦ回路３３は、コアネットワークを介して他の基地局１と送受信を行う場合に用いられるインタフェースである。無線処理回路３４は、無線通信に必要な処理を行う回路である。無線処理回路３４は、複数のアンテナ３５に接続する。
【００５３】
図１２は、無線部を別装置とする場合の基地局１ａの構成を示す図である。図１２に示すように、基地局１ａは、ＢＢＵ（Base  Band  Unit）４１と複数のＲＲＨ（Remote  Radio  Head）４２を有する。ＢＢＵ４１は、記憶装置３１と、プロセッサ３２と、ＮＩＦ回路３３とを有する。ＲＲＨ４２は、無線処理回路３４を有する。ＢＢＵ４１と複数のＲＲＨ４２は、例えば光ケーブルで接続される。
【００５４】
図１３は、ＵＥ２０のハードウェア構成を示す図である。図１３に示すように、ＵＥ２０は、記憶装置５１と、プロセッサ５２と、無線処理回路５３とを有する。
【００５５】
記憶装置５１は、データやプログラムを記憶する装置である。記憶装置５１には、主記憶装置と補助記憶装置が含まれる。主記憶装置は、例えばＲＡＭであり、プロセッサ５２で実行されるプログラム、プログラムの実行に必要なデータ、プログラム実行の途中結果等を記憶する。補助記憶装置は、例えばフラッシュメモリであり、プログラムやデータを記憶する。補助記憶装置に記憶されたプログラムは、主記憶装置にロードされてプロセッサ５２によって実行される。
【００５６】
プロセッサ５２は、主記憶装置に記憶されたプログラムを読み出して実行する処理装置である。無線処理回路５３は、無線通信に必要な処理を行う回路である。無線処理回路５３は、複数のアンテナ５４に接続する。
【００５７】
上述してきたように、実施例では、設定部１２が、ブロック毎にＲＳＲＰが高い順に上位Ｍ個のビームのＲＳＲＰとビームＩＤをフィードバックするようにＵＥ２０の設定を行う。そして、ビーム測定信号生成部４が、複数の候補ビームのビーム測定信号を生成してビームフォーミング部７を介して送信する。そして、受信部１３が、ブロック毎にＲＳＲＰが高い順に上位Ｍ個のビームのＲＳＲＰとビームＩＤを受信する。したがって、基地局は、適切なビームを効率よく選択してダイナミックに切り替えることができる。
【００５８】
また、実施例では、選択部１５が、受信部１３が受信したＲＳＲＰに基づいて、複数の候補ビームの中からｉmax個の制御信号送信候補ビームｃiを選択する。具体的には、選択部１５は、受信部１３が受信したビームＩＤの集合を候補集合Ｃとする。そして、選択部１５は、ＣにビームＩＤが含まれるビームでＲＳＲＰが最大のビームをｃiとして選択する選択処理と、Ｃからｃiとｃiの隣接ビームのビームＩＤをＣから取り除く更新処理を行う。そして、選択部１５は、ＣにビームＩＤが含まれるビームの最大ＲＳＲＰがＲmax−閾値Ｔｈ以上でなくなるまで選択処理と更新処理を繰り返す。したがって、選択部１５は、複数の候補ビームの中からｉmax個の制御信号送信候補ビームｃiを適切に選択することができる。
【００５９】
また、実施例では、決定部１６が、ｉmax個の制御信号送信候補ビームｃiの中から直近のＲＳＲＰが最大のビームを制御信号の送信に用いるビームとして選択するので、基地局は制御信号の送信に用いるビームを適切に選択することができる。
【００６０】
また、実施例では、ｃiの隣接ビームの中で最大の平均化ＲＳＲＰがｃiの平均化ＲＳＲＰよりもＴｈupdateを超えて大きい場合には、更新部１７は、ｃiの隣接ビームの中で平均化ＲＳＲＰが最大のビームをｃiとする。したがって、基地局は制御信号の送信に用いるビームを適切に選択することができる。
【符号の説明】
【００６１】
１，１ａ    基地局
２    ＤＬデータ生成部
３    ＤＬ制御信号生成部
４    ビーム測定信号生成部
５    ＵＬデータ受信部
６    ＵＬ制御信号受信部
７    ビームフォーミング部
１０    ビームマネジメント部
１１    分割部
１２    設定部
１３    受信部
１４    記憶部
１５    選択部
１６    決定部
１７    更新部
２０    ＵＥ
２１    ＤＬデータ受信部
２２    ＤＬ制御信号受信部
２３    ビーム測定信号受信部
２４    ビーム測定部
２５    ＵＬデータ生成部
２６    ＵＬ制御信号生成部
２７    ビームフォーミング部
３１    記憶装置
３２    プロセッサ
３３    ＮＩＦ回路
３４    無線処理回路
３５    アンテナ
４１    ＢＢＵ
４２    ＲＲＨ
５１    記憶装置
５２    プロセッサ
５３    無線処理回路
５４    アンテナ
【図１】
2020053897.tif 000004
【図２】
2020053897.tif 000005
【図３】
2020053897.tif 000006
【図４】
2020053897.tif 000007
【図５】
2020053897.tif 000008
【図６】
2020053897.tif 000009
【図７】
2020053897.tif 000010
【図８】
2020053897.tif 000011
【図９】
2020053897.tif 000012
【図１０】
2020053897.tif 000013
【図１１】
2020053897.tif 000014
【図１２】
2020053897.tif 000015
【図１３】
2020053897.tif 000016